(57)【要約】 【課題】  油圧などを利用することなく、電線との係合位置を変位可能にして、高所の電線に容易に係合させて湾曲などさせることのできる軽量で安価な電線ベンダー装置を提供する。【解決手段】  棒状の短尺部材１１と棒状の長尺部材２１を任意の挟角に設定できる菊座アダプタ３１により連結して、その短尺部材１１には一対のピン１５を雌ネジ１２のいずれかに螺合させて立設させることにより電線ベンダー装置１０を構成する。この電線ベンダー装置１０は、短尺部材１１のピン１５の間に電線を引っ掛けて、把持する長尺部材２１により回動させることによりその電線を湾曲させる。【選択図】      図１
2006129609.tif 000002
【特許請求の範囲】
【請求項１】
電線の太さよりも大きく離隔して該電線の上周面および下周面に係合する一対の係合部と、該係合部を上下に離隔させるように取り付ける短尺に形成された第１棒状部材と、該第１棒状部材を先端側に連結される長尺に形成された第２棒状部材と、これら第１、第２棒状部材による挟角を任意の角度に設定することのできる角度設定部材と、を備えることを特徴とする電線ベンダー装置。
【請求項２】
前記第１棒状部材は、係合部の間隔を調整可能に該係合部の取り付け箇所が複数設定されていることを特徴とする請求項１に記載の電線ベンダー装置。
【請求項３】
前記係合部は、第１棒状部材の延在方向に連続するスライド用溝内にスライド可能に支持されて、該スライド用溝の縁に形成されている係合穴に係合するとともに、該係合穴方向に付勢する付勢手段を内蔵していることを特徴とする請求項１または２に記載の電線ベンダー装置。
【発明の詳細な説明】
【技術分野】
【０００１】
本発明は、電線ベンダー装置に関し、詳しくは、電柱などの高所に架設する電線を容易に湾曲等させることのできるものに関する。
【背景技術】
【０００２】
従来より、商用電源から電力供給する送電線は、例えば、図６に示すように、電柱１００に設置した機器１０１から引き出されている接続電線（割込み縁線）１０２にスリーブカバー１０３内で接続するために、その送電線Ｄ自体を保持カバー１０４内に収まる湾曲率で屈曲させることが行われている。また、図７に示すように、電柱１００に電線Ｄを引き留めるために、その電柱１００の腕金１１０に設置されている碍子１１１に電線Ｄを湾曲させて接続したり、図８に示すように、その電線Ｄを複数方向に分岐させるために、ホルダ１１２を介して碍子１１１が保持する電線Ｄをカバー１１４内で分岐させた後に湾曲させたり、図９に示すように、電線Ｄの進路方向を変えるために、異なる腕金１１０に設置されている碍子１１１に電線Ｄを湾曲させて接続することも行われている。なお、図７〜図９中の１２０は、図１０に示すように、腕金１１０に電線Ｄが接近しないようにその電線Ｄを支持するピン碍子である。
【０００３】
このような電線Ｄには、図６〜図９中に矢印Ｅで図示する箇所のように、所謂、「縁線」と称される張力の加わらない部位が生ずる。この部分については張力が加わっていないため自由な形状に施設することが出来るのであるが、充電しているため、電線相互や腕金、支持物との間は、必要な離隔距離をとって設置されている。また、新設時において適正な離隔距離をとって設置していても、長期にわたって風などにさらされていると、電線が移動し、他の電線や腕金等に接触しそうになることがある。このような場合は、工事を行い元の状態へ戻すことが行われている。
【０００４】
したがって、このような電線（縁線）は、電線相互や腕金、支持物との間に適正な離隔距離がとられるよう癖付けする必要があるのであるが、近年、電気の使用量増に伴い、電線が太線化し、手作業では簡単に曲げることはできなくなってきた。また、充電した電線の癖付け作業を手作業で行うこと自体危険を伴うため、遠隔操作できる安全な工具が望まれていた。このため、各種の電線ベンダー装置が提案されている（例えば、特許文献１、２参照）。
【特許文献１】登録実用新案第３０２４０４６号公報
【特許文献２】特開平１０−１７４２３６号公報
【発明の開示】
【発明が解決しようとする課題】
【０００５】
しかるに、この癖付けする必要のある電線は、状況に応じて他の電線や腕金などとの位置関係を見ながら作業する必要がある。電線ベンダー装置は、上記文献に記載のものにあっては、電線を３点支持して緩やかに湾曲させたり、強く湾曲させて屈曲させることができ、作業現場で修正しながら湾曲などさせるように使用することができる。
【０００６】
しかしながら、この文献に記載の電線ベンダー装置は、電線を湾曲・屈曲させる部分を油圧シリンダーにより動作させていることから、油圧ホースをぶら下げなければならず、かなりの重量になってしまう。すなわち、このような電線ベンダー装置を電線の設置場所である電柱などの高所で使用するには、高所作業用のバケットなどに乗って作業するのが現実的である。しかし、できれば、高所作業車を持ち出すまでもなく、地上ないしは電柱上から高所の電線を湾曲などさせて癖付けする作業を容易に行うことができれば便利である。
【０００７】
そこで、本発明は、油圧などを利用することなく、電線との係合位置を変位させることができるようにして、高所の電線に容易に係合させて湾曲などさせることのできる軽量で安価な電線ベンダー装置を提供することを目的とする。
【課題を解決するための手段】
【０００８】
上記課題を解決する電線ベンダー装置の第１の発明は、電線の太さよりも大きく離隔して該電線の上周面および下周面に係合する一対の係合部と、該係合部を上下に離隔させるように取り付ける短尺に形成された第１棒状部材と、該第１棒状部材を先端側に連結される長尺に形成された第２棒状部材と、これら第１、第２棒状部材による挟角を任意の角度に設定することのできる角度設定部材と、を備えることを特徴とするものである。
【０００９】
この発明では、第２棒状部材の先端で任意の角度になるように連結された第１棒状部材の一対の係合部の間に電線を位置させた後に、その第２棒状部材を回動させることにより、電線の長さ方向に離隔する箇所の係合部がその電線の上周面および下周面のそれぞれに下方および上方に移動させるように圧接する。したがって、電線の係合部の圧接する箇所を湾曲などさせることができる。
【００１０】
上記課題を解決する電線ベンダー装置の第２の発明は、上記第１の発明の特定事項に加え、前記第１棒状部材は、係合部の間隔を調整可能に該係合部の取り付け箇所が複数設定されていることを特徴とするものである。
【００１１】
この発明では、電線に圧接して湾曲などさせる係合部の離隔間隔を調整することができる。したがって、電線を湾曲などさせる形状の湾曲率やその大きさを任意に調整することができる。
【００１２】
上記課題を解決する電線ベンダー装置の第３の発明は、上記第１または第２の発明の特定事項に加え、前記係合部は、第１棒状部材の延在方向に連続するスライド用溝内にスライド可能に支持されて、該スライド用溝の縁に形成されている係合穴に係合するとともに、該係合穴方向に付勢する付勢手段を内蔵していることを特徴とするものである。
【００１３】
この発明では、電線に圧接して湾曲などさせる係合部を交換することなく、第１棒状部材から離隔する方向に引き上げてスライドさせて位置決めすることができる。したがって、係合部をネジにより構成した場合のように着脱する作業を行うことなく、その離隔間隔を容易に調整することができる。
【発明の効果】
【００１４】
本発明によれば、第２棒状部材を持って第１棒状部材の係合部の間に電線が位置するように引っ掛けて回動させるように操作するだけで、その電線の異なる位置を係合部が逆方向に圧接して湾曲などさせることができる。したがって、油圧装置などを利用する必要のない軽量の電線ベンダー装置で電線を容易に湾曲などさせることができ、電柱などの高所に設置されている電線でも、容易に引っ掛けて所望の程度だけ湾曲などさせることができる。
【発明を実施するための最良の形態】
【００１５】
以下、本発明の最良の実施形態を図面に基づいて説明する。図１〜図４は本発明に係る電線ベンダー装置の第１実施形態を示す図である。
【００１６】
図１において、電線ベンダー装置１０は、短尺な棒状に形成された短尺部材（第１棒状部材）１１と、長尺な棒状に形成されてこの短尺部材１１を連結される長尺部材（第２棒状部材）２１と、短尺部材１１および長尺部材２１を連結するとともに、これらによる挟角θ（図４参照）を任意の角度に設定することのできる菊座アダプタ（角度設定部材）３１と、を備えている。
【００１７】
短尺部材１１には、複数の雌ネジ１２が湾曲させる電線Ｄ（図６〜図９参照）の電線径ｄよりも広く離隔する間隔で隣接するように刻設（並列）されており、この雌ネジ１２には、電線径ｄよりも長いピン（突出部材）１５の基端側の不図示の雄ネジを螺合させることができ、そのピン１５を延在方向に対して直交する方向に立設させることができる。すなわち、２本のピン１５が、電線Ｄを内装可能に、また、調整可能な間隔に離隔して、その上周面または下周面に係合する係合部を構成している。
【００１８】
また、この短尺部材１１に取り付けるピン１５は、図２に示すように、先端側および基端側に円錐形状の円錐部１５ａ、１５ｂが形成されており、後述するように、回動して電線Ｄを係合支持する際に、その電線Ｄが外れて逃げようとするのを先端側の円錐部１５ａで制限するとともに、その電線Ｄを湾曲させる方向に回動させる際の負荷を基端側の円錐部１５ｂで受けることによりその基端側が折れ曲がるなど変形してしまうことを回避している。
【００１９】
長尺部材２１は、作業員が把持する基端部側の把持部２２と、中間部分に取り付けられている傘カバー２３、２４と、を備えており、全体をプラスチックなどの絶縁材料で作製されて絶縁性が確保されている。把持部２２は、滑りにくい材質の取替え可能な滑り止が施されている。傘カバー２３、２４は、中間部分における先端側と基端側の２箇所に配設されており、先端側の傘カバー２３が短尺部材１１側からの水分を滴下させるとともに、基端側の傘カバー２４が安全に作業を行い得る限界位置を示して、作業する際の安全を確保している。
【００２０】
菊座アダプタ３１は、第１、第２対面部材３２、３３を蝶ネジ３４により対面圧接させることにより連結するようになっており、第１対面部材３２が短尺部材１１の後端部に固設されているとともに、第２対面部材３３が長尺部材２１の先端部に固設されている。第１対面部材３２は、図３（ａ）に示すように、後端側から中央部に向かって開口する切欠３２ａと、その一面側に突出して切欠３２ａの底部（中央部）から法線方向に延在する複数の突起３２ｂとが形成されている。第２対面部材３３は、図３（ｂ）に示すように、中央部に形成された蝶ネジ３４の挿入孔３３ａと、その一面側に突出して挿入孔３３ａから法線方向に延在する複数の突起３３ｂとが形成されている。この構成により、菊座アダプタ３１は、第１、第２対面部材３２、３３の突起３２ｂ、３３ｂが噛み合うように対面させるとともに、切欠３２ａおよび挿入孔３３ａを貫通させた蝶ネジ３４で締め付けることにより連結することができる。
【００２１】
これにより、電線ベンダー装置１０は、まず、図６〜図９に示す電柱１００などの高所に設置されている電線Ｄを短尺部材１１に取り付けたピン１５の間に差し込んで、その電線Ｄの上周面と下周面のそれぞれにそのピン１５を接近させたときに、長尺部材２１の把持部２２を把持できるように菊座アダプタ３１の第１、第２対面部材３２、３３の対面させる位置を調整して（短尺部材１１と長尺部材２１の間の挟角θを調整して）蝶ネジ３４により圧接させて連結する。この後に、例えば、図４に示すように、長尺部材２１の把持部２２を把持して、その高所の電線Ｄを短尺部材１１のピン１５の間に差し込んで引っ掛けた状態で、長尺部材２１を回動させると、短尺部材１１の上側のピン１５が当接する電線Ｄの上周面を中心に回動する。よって、下側のピン１５が電線Ｄの下周面に当接して、その回動量に応じて上側のピン１５に対して上方に移動することにより、その電線Ｄの圧接箇所を湾曲させることができる。
【００２２】
このとき、短尺部材１１のピン１５の間には、他の位置に部材がなく邪魔されないので、容易に電線Ｄを差し込んで引っ掛けることができ、また、このピン１５の間隔は、電線Ｄに癖を付けるために湾曲させる大きさに応じて短尺部材１１への取付位置を変更することにより調整することができ、複数種の部材を準備する必要がない。
【００２３】
このように本実施形態においては、長尺部材２１を持って短尺部材１１のピン１５の間に電線Ｄが位置するように引っ掛けて回動させるだけで、その電線Ｄの離隔箇所の上下にピン１５を圧接させて湾曲させることができる。したがって、油圧装置などを必要とすることなく、また、高所作業用のバケットなどに乗らずに、軽量で安価な電線ベンダー装置１０により高所の電線Ｄを地上から湾曲などさせて所望の癖を付けることができる。
【００２４】
次に、図５は本発明に係る電線ベンダー装置の第２実施形態を示す図である。なお、本実施形態は、上述実施形態と略同様に構成されているので、同様の構成には同様の符号を付して特徴部分を説明する。
【００２５】
図５において、本実施形態の短尺部材１１は、上述実施形態の雌ネジ１２を刻設するのに代えて、角柱形状に形成して、その中心部に少なくとも上端部に開口するスライド用孔４２を穿孔するとともに、そのスライド用孔４２に連通して前面側に開口するスライド用溝４３が切り欠かれている。また、この短尺部材１１には、その雌ネジ１２の形成位置に、スライド用溝４３の通過する有底の円筒形状の係合穴４４が形成されており、上述実施形態のピン１５に代えて、この係合穴４４にはスライドピン（係合部）４５が係合する。
【００２６】
このスライドピン４５は、係合穴４４よりも小さめの径に設定されて嵌め込み可能に形成された円筒部４６と、この円筒部４６内に収納されるとともにスライド用孔４２内に引き抜き不能に内装されてスライド用溝４３内をスライドするスライド棒４７と、円筒部４６内に収納されてその円筒部４６を短尺部材１１（係合穴４４）側に付勢するスプリング４８と、により構成されている。
【００２７】
円筒部４６は、スライド棒４７を内部に進入または引抜可能に円筒形状の一端側端面に開口する挿通孔４６ａが形成されている。なお、この円筒部４６は、スライド棒４７やスプリング４８を内装可能に分割して組み立てることができるようになっている。
【００２８】
スライド棒４７は、スライド用溝４３の溝幅よりも小さめの径に形成されており、その両端側には大径に形成された円盤４７ａが固設されている。このスライド棒４７は、挿通孔４６ａに挿通させて、一方の円盤４７ａを円筒部４６内に位置（収納）させるとともに、他方の円盤４７ａは、短尺部材１１のスライド用孔４２の内面に引抜不能に対面させている。
【００２９】
スプリング４８は、円筒部４６内に収納されて、一端側を挿通孔４６ａの縁部に突き当てるとともに、他端側をスライド棒４７の円盤４７ａの内側に突き当てることにより、その円筒部４６を短尺部材１１（係合穴４４）側に付勢している。
【００３０】
これにより、上述実施形態のようにピン１５の取付位置を変更することなく、スライドピン４５を短尺部材１１から引き離す方向に引くことにより係合穴４４から離脱させて、取り付けたい位置の方向にスライドさせることができ、所望の取付位置に開口する係合穴４４に円筒部４６を嵌め込むことによりその取付位置を変更して、他のスライドピン４５との間の間隔を調整することができる。
【００３１】
このように本実施形態においては、上述実施形態による作用効果に加えて、ピン１５のような着脱作業を行うことなく、電線Ｄを湾曲させるスライドピン４５をスライドさせて位置決めすることができ、その間隔を容易に調整することができる。
【産業上の利用可能性】
【００３２】
これまで本発明の一実施形態について説明したが、本発明は上述の実施形態に限定されず、その技術的思想の範囲内において種々異なる形態にて実施されてよいことは言うまでもない。例えば、上述実施形態においては、地上から高所の電線Ｄを湾曲などさせて所望の癖を付ける場合を説明するが、上述実施形態に係る電線ベンダー装置１０は、軽量であるため、電柱に登って作業することもできることはいうまでもない。
【図面の簡単な説明】
【００３３】
【図１】本発明に係る電線ベンダー装置の第１実施形態を示す図であり、その概略全体構成を示す立面図である。
【図２】その構成部材の要部構成を示す一部拡大側面図である。
【図３】その構成部材の要部構成を示す図であり、（ａ）は連結する一方側の部品の一部拡大立面図、（ｂ）は連結する他方側の部品の一部拡大立面図である。
【図４】その使用時の状態を示す状態図である。
【図５】本発明に係る電線ベンダー装置の第２実施形態の構成部材の要部構成を示す図であり、（ａ）はその一部拡大立面図、（ｂ）はその一部拡大断面側面図である。
【図６】その電線ベンダー装置を使用する電線を説明する立面図である。
【図７】その電線ベンダー装置を使用する電線を説明する平面図である。
【図８】その電線ベンダー装置を使用する電線を説明する立面図である。
【図９】その電線ベンダー装置を使用する電線を説明する平面図である。
【図１０】その電線を設置する際に使用する部品を示す立面図である。
【符号の説明】
【００３４】
１０    電線ベンダー装置
１１    短尺部材
１２    雌ネジ
１５    ピン
１５ａ、１５ｂ    円錐部
２１    長尺部材
３１    菊座アダプタ
３２、３３    対面部材
３４    蝶ネジ
４２    スライド用孔
４３    スライド用溝
４４    係合穴
４５    スライドピン
４６    円筒部
４７    スライド棒
４８    スプリング
Ｄ    電線
θ    挟角
【図１】
2006129609.tif 000003
【図２】
2006129609.tif 000004
【図３】
2006129609.tif 000005
【図４】
2006129609.tif 000006
【図５】
2006129609.tif 000007
【図６】
2006129609.tif 000008
【図７】
2006129609.tif 000009
【図８】
2006129609.tif 000010
【図９】
2006129609.tif 000011
【図１０】
2006129609.tif 000012